(57)【要約】  【課題】畳表にテンションのかかった状態で処理をしないと畳表が弛んでしまった状態、ふわふわした感触が残った状態で固定されてしまうという課題を解決して畳表に弛みのない縁無畳の製造ができるようにする。  【解決手段】畳床保持手段のみで畳床の位置を保持した状態で、上記畳床折り曲げ手段によって畳床を折り曲げ、畳床幅方向の中央付近の畳表を弛めた状態とし、この弛められた畳表にテンションをかけて弛みを無くした状態又は畳表にテンションをかけたままの状態とした後に、上記床端押さえを下降させて畳床と畳表を上記テーブル上に固定し、その後畳床側面や畳床裏面に畳表を折り曲げて貼り付けすることを特徴とする縁無畳用畳表折り曲げ機を提供する。【選択図】    図２
2014020014.tif 000002
【特許請求の範囲】
【請求項１】
縁無畳を製作するための畳表折り曲げ機であって、
畳表を折り曲げる畳床端部を載置するテーブルと、
上記テーブルの上方に設けられた床端押さえと、
上記床端押さえに設けられた畳床へ突起状物を当接させて保持する畳床保持手段と、
上記テーブル上に位置する端部とは異なる畳床端部付近に当接して畳床を折り曲げる畳床折り曲げ手段と、
上記テーブルに載置される畳床に対向し、畳床側面に畳表を折り曲げ押しつける手段と畳床裏面に畳表を折り曲げ押しつける手段とを具備し、
畳床保持手段のみで畳床の位置を保持した状態で、上記畳床折り曲げ手段によって畳床を折り曲げ、畳床幅方向の中央付近の畳表を弛めた状態とし、この弛められた畳表にテンションをかけて弛みを無くした状態又は畳表にテンションをかけたままの状態とした後に、上記床端押さえを下降させて畳床と畳表を上記テーブル上に固定し、その後畳床側面や畳床裏面に畳表を折り曲げて貼り付けすることを特徴とする縁無畳用畳表折り曲げ機。
【請求項２】
上記畳床保持手段の突起状物は、畳床に刺すことによって畳床の移動をさせないように保持する複数の畳床保持用針であることを特徴とする請求項１記載の縁無畳用畳表折り曲げ機。
【請求項３】
畳床端部を載置する上記テーブルの側方に位置して、畳床を折り曲げる畳床折り曲げ手段で畳床を折り曲げる際には畳床の折り曲げに干渉しない位置に退避する畳床載置手段を有することを特徴とする請求項１又は請求項２記載の縁無畳用畳表折り曲げ機。
【請求項４】
畳床載置手段は、上記テーブルの側方にその上面を上記テーブルの上面に一致した状態から下方へ旋回可能に設けられた旋回テーブルであることを特徴とする請求項３記載の縁無畳用畳表折り曲げ機。
【請求項５】
上記床端押さえの畳床中央側側方に床押さえを有することを特徴とする請求項１〜請求項４のいずれかに記載の縁無畳用畳表折り曲げ機。
【請求項６】
畳床折り曲げ手段による畳床の折り曲げの程度を判別する判別手段又はメモリを設けたことを特徴とする請求項１〜請求項５のいずれかに記載の縁無畳用畳表折り曲げ機。
【発明の詳細な説明】
【技術分野】
【０００１】
本発明は、縁無畳を製造するための畳表折り曲げ機に関するものである。
【背景技術】
【０００２】
従来より、縁無畳を製造する装置についての提案がなされており、縁無畳を製造するために、框に畳表を縫着又は取付けられた畳の畳表を折り曲げる畳表折曲げ機において、畳表を下にして畳を載置するテーブルと、上記テーブルに載置された畳を固定する畳押えと、畳表を折り曲げる際に、畳端部を上記テーブルに上方から押さえつけることにより固定する畳床端押えと、框に縫着又は取付けられた畳表の畳上面から突出した部分の畳表を、畳側面に対して沿うように折り曲げて畳側面に押しつける旋回折り曲げ手段とを具備し、上記畳押えと上記畳床端押えによって、畳及び畳端部を固定した状態で旋回折り曲げ手段によって畳表を折り曲げることを特徴とする縁無畳用畳表折り曲げ機が知られている。（特許文献１）
【０００３】
また、縁無畳製造過程において畳の長辺に沿って畳表を畳表の織り目に直角に折り曲げるために、畳を載置して上下に昇降可能なテーブルと、該テーブルに載置された畳の移動を防ぐ畳押さえ手段と、畳表の折り曲げ位置を決めるための昇降可能な位置決め手段と、該テーブルが下降する際に畳表のはみ出し部の畳の上角を畳の側縁に沿って折り曲げる折り曲げ手段とを有し、上記の諸手段を自動的に動作可能とすることを特徴とする縁無畳用畳表折り曲げ機についても知られている。（特許文献２）
【０００４】
また、縁無畳製造過程において、畳の長辺に沿って畳表を畳表の織り目に直角に折り曲げるために、畳を載置して上下に昇降可能なテーブルと、該テーブルに載置された畳を押さえることにより移動を防ぐ畳押さえ手段と、畳の幅中央において畳床の裏面側が凸になるように曲げる床曲げ機と、畳表の折り曲げ位置を決めるための昇降可能な位置決め手段と、該テーブルが下降する際に畳表のはみ出し部の畳の上角を畳の側縁に沿って折り曲げる折り曲げ手段と、畳表を畳床の長辺の下角に沿って折り曲げる手段を有することを特徴とする縁無畳用畳表折り曲げ機についても知られている。（特許文献３）
【先行技術文献】
【特許文献】
【０００５】
【特許文献１】特開２０１１−０１２４２９号公報
【特許文献２】特開２００１−３１７１９０号公報
【特許文献３】特許第４６０４２５５号公報
【発明の開示】
【発明が解決しようとする課題】
【０００６】
特許文献２や特許文献３のような機械では、畳表を畳床に当接するように畳表を折り曲げる際に、畳（畳表と畳床）がテーブルと共に下降することによって移動しながら折り曲げ板によって畳表を折り曲げられる構成となっている。畳表が折り曲げられる際には、畳床に沿うように畳表を畳床に押しつける圧力がかかった状態であり、畳表の表面側には折折り曲げ板との摩擦がかかった状態となる。畳表を畳床にしっかりと沿うように折り曲げするにはこの摩擦力も大きなものとなり、畳表表面の藺草を損傷してしまったり、藺草を損傷しないまでも折り曲げ板との接触跡が残ってしまうことがあった。畳の側面であれば、部屋に畳を敷き込んだ場合は上記の接触跡は見えない状態となるが、畳を部屋に敷き込んだ場合でも、畳の上面の角部分に上記接触跡が見えてしまう場合もあり、仕上がりに課題を有していた。
【０００７】
また、特許文献３の機械においては、畳の幅中央において畳床の裏面側が凸となるように折り曲げる床曲げ機が設けられており、畳床の裏面側が凸となるように折り曲げてから畳表の折り曲げ処理を行うのであるが、特許文献３の段落００２３に記載しているように、畳表の約７ｍｍ上方で一度停止させた時に、畳床の側端が位置決め板に当たるまで引き寄せて折り曲げ位置と、畳床の位置を調整しても、位置決め板は板状の部材であり、位置決めの際に畳表を引っ張ってテンションのかかった状態にしようとすると、位置決め板自体がたわんでしまって、畳床の位置までずれてしまうということが発生するために、強いテンションをかけた状態にすることができなかった。
【０００８】
また、畳床が曲がった状態でテンションをかけようとしても、畳押えが下降してテーブルと一体となって下降させる際に、位置決め板がたわまない程度にテンションをかけて位置決め板を下降させて畳表を押さえた際に、位置決め板の厚みのない板の先端で畳表を押さえてもテンションを維持できなかったり、畳表の折り曲げの際には位置決め板が畳表の折り曲げタイミングよりも早く上昇するタイミングに設定されているために、テンションをかけた状態から緩んで畳表が戻ってしまい、結果テンションが弱くなった状態で折り曲げしてしまう動作ともなってしまっていた。
【０００９】
縁無畳には、畳床上面の全面に接着剤を塗布して畳表を畳床に貼付して製造されるものや、通常の畳と同様に框部分は縫着して、畳床上面と畳表は接着されていない状態で製造されるものがあり、畳表が畳床の上面全面に貼付された状態で製造されるような縁無畳においては、畳表がぴったりと畳床に貼り付けられているために、畳床の角における折り曲げ位置で折り曲げることにより、畳表の膨れなどは発生しにくく、仕上がりも折り癖をしっかりとつけることで美観良く製作することができるが、框部分を縫着した状態の縁無畳であると、畳の返し側の中央では畳表が畳床に貼り付いていない状態であるから畳の横方向にずれる状態となっている。返し部分の片側を固定してから、もう片方の固定をする際に、畳表にテンションのかかった状態で処理をしないと畳表が弛んでしまった状態、ふわふわした感触が残った状態で固定されてしまうという課題が残っていた。
【００１０】
特許文献２の課題を解決するために提案された特許文献１の機械においても、畳表を折り曲げる位置を決めるのは、特許文献２や特許文献３の機械と同様に、位置決め板を採用しており、畳表によりテンションをかけて緊張させた状態で畳表を折り曲げるという構造にはなっていなかったため、片側の畳表を折り曲げが完了した時点で、畳表にテンションをかけた状態で畳表の折り曲げをしたいという要望に対する課題を有していたのである。
【課題を解決するための手段】
【００１１】
上記課題を解決するための本発明の請求項１は、縁無畳を製作するための畳表折り曲げ機であって、畳表を折り曲げる畳床端部を載置するテーブルと、上記テーブルの上方に設けられた床端押さえと、上記床端押さえに設けられた畳床へ突起状物を当接させて保持する畳床保持手段と、上記テーブル上に位置する端部とは異なる畳床端部付近に当接して畳床を折り曲げる畳床折り曲げ手段と、上記テーブルに載置される畳床に対向し、畳床側面に畳表を折り曲げ押しつける手段と畳床裏面に畳表を折り曲げ押しつける手段とを具備し、畳床保持手段のみで畳床の位置を保持した状態で、上記畳床折り曲げ手段によって畳床を折り曲げ、畳床幅方向の中央付近の畳表を弛めた状態とし、この弛められた畳表にテンションをかけて弛みを無くした状態又は畳表にテンションをかけたままの状態とした後に、上記床端押さえを下降させて畳床と畳表を上記テーブル上に固定し、その後畳床側面や畳床裏面に畳表を折り曲げて貼り付けすることを特徴とする。
【００１２】
また、本発明の請求項２は、上記畳床保持手段の突起状物は、畳床に刺すことによって畳床の移動をさせないように保持する複数の畳床保持用針であることを特徴とする。
【００１３】
また、本発明の請求項３は、畳床端部を載置する上記テーブルの側方に位置して、畳床を折り曲げる畳床折り曲げ手段で畳床を折り曲げる際には畳床の折り曲げに干渉しない位置に退避する畳床載置手段を有することを特徴とする。
【００１４】
また、本発明の請求項４は、畳床載置手段は、上記テーブルの側方にその上面を上記テーブルの上面に一致した状態から下方へ旋回可能に設けられた旋回テーブルであることを特徴とする。
【００１５】
また、本発明の請求項５は、上記床端押さえの畳床中央側側方に床押さえを有することを特徴とする。
【００１６】
また、本発明の請求項６は、畳床折り曲げ手段による畳床の折り曲げの程度を判別する判別手段又はメモリを設けたことを特徴とする。
【００１７】
畳床保持手段は、畳表の弛みを除去したり、畳表にテンションをかけた状態とする際に畳床が移動しないように位置保持するもので、突起状物によって位置ずれを起こさないようにしておくことで畳床自体を押圧する力はそれほど大きくしなくても良い。押圧する力が小さければ畳表の弛みを除去することも容易になるのである。
【００１８】
テーブルの側方に位置する畳床載置手段は、設けた方が好ましい実施形態となるが、テーブルの長さを長くして畳床がテーブルから落下しないようにすれば特に無くても実施可能である。請求項４で限定した旋回テーブルでも良いし、昇降自在な載置手段を簡易的に設けるような実施形態でも良い。畳床の位置決めの際にテーブルと載置手段で畳床で位置決めができるように畳床を保持でき、畳床を折り曲げる際には退避できる構成となっていれば良いのである。
【００１９】
畳床の固定は床端押さえのみで行っても良いし、床端押さえと床押さえの２つの部材で固定するようにしても良い。２つの部材とすることで、固定に使用する部材１つの力を小さく設計することが可能となる。
【発明の効果】
【００２０】
本発明により、畳床保持手段のみで畳床の位置を保持し、上記載置手段を退避させて上記畳床折り曲げ手段によって畳床を折り曲げて、畳床幅方向の中央付近の畳表を弛められた状態とし、この弛められた畳表にテンションをかけて弛みのない状態又は畳表にテンションのかかった状態とした後に、床端押さえ又は床端押さえと床押さえで畳床と畳表を上記テーブル上に固定した後に畳床側面や畳床裏面に畳表を折り曲げて貼り付けするために畳表の弛みやふわふわ感の無い状態で縁無畳の製造ができる。
【００２１】
本発明によって畳床の折り曲げの程度も容易に判別できる機構も有するので、作業効率良く種々の畳床を使って縁無畳の製造が行える。
【図面の簡単な説明】
【００２２】
【図１】本発明の縁無畳用畳表折り曲げ機の正面図である。
【図２】本発明の縁無畳用畳表折り曲げ機の側面図である。
【図３】本発明の縁無畳用畳表折り曲げ機の平面図である。
【図４】縁無畳を製造する工程において、畳床の位置決めを説明する図である。
【図５】縁無畳を製造する工程において、畳床の固定を説明する図である。
【図６】縁無畳を製造する工程において、畳表を上方へ折り曲げる工程を説明する図である。
【図７】縁無畳を製造する工程において、畳床の側面に接着剤を塗布する工程を説明する図である。
【図８】縁無畳を製造する工程において、畳床の側面に畳表を貼り付ける工程を説明する図である。
【図９】縁無畳を製造する工程において、畳床の片方の仕上げ状態を説明する図である。
【図１０】縁無畳を製造する工程において、畳床の位置決めを説明する図である。
【図１１】縁無畳を製造する工程において、畳床の固定を説明する図である。
【図１２】縁無畳を製造する工程において、旋回テーブルを下方へ旋回する状態を説明する図である。
【図１３】縁無畳を製造する工程において、畳床の折り曲げ状態を説明する図である。
【図１４】縁無畳を製造する工程において、畳床を畳床保持装置で固定する状態を説明する図である。
【図１５】縁無畳を製造する工程において、畳表の弛みをなくす作業を説明する図である。
【図１６】縁無畳を製造する工程において、畳表の弛みをなくす作業に使用する工具の１例を説明する図である。
【発明を実施するための最良の形態】
【００２３】
本発明の縁無畳用畳表折り曲げ機の全体構成を図１〜図３に示す。図１は正面図であり、図２は側面図で、図３は平面図である。
【００２４】
図１〜図３に示すように、縁無畳用畳表折り曲げ機１は、框側の畳表を固定した畳床を載置するテーブル２と、テーブル２上には畳床端部を押圧する床端押さえ３、畳床を固定する床押さえ４が昇降自在に設けられている。床端押さえ３には、畳床保持装置３１が設けられてもいる。床押さえ４はシリンダ１０，１０によって昇降し、床端押さえ３はシリンダ１１，１１によって昇降される。床端押さえ３には、畳床保持装置３１が設けられており、畳床保持装置３１は床端押さえ３に対して昇降できる構成であるが、図示しないレギュレータで押し圧力調整が可能とされたシリンダ３２で常に下向きに付勢した状態としている。
【００２５】
図２の側面図に開示しているように、図２の左側には畳表Ａを折り曲げ、畳床Ｔの側面に貼り付けする、あるいは畳床Ｔの裏面に畳表Ａを折り曲げ、貼り付けする畳表折り曲げユニット５を設けている。折り曲げユニット５は図３の平面図に示しているように畳床の幅より広い長さを有しており、内部にヒーターが設置されて、所定温度に加熱した状態で畳表Ａを折り曲げ、畳床Ｔの側面にシリンダ５ａで移動する構成となっている。図２においてはシリンダ５ｅが見える状態に機械の一部のフレームなどを切り欠いた状態に作図して説明している。
【００２６】
畳表Ａが畳床Ｔの裏面に接着される長さとなっている場合は、折り曲げ板５ｄにおいては畳床Ｔの厚みに対して、ハンドル５ｆ，５ｆで昇降位置を調整することにより折り曲げユニット５に対して単独に昇降位置調整が可能とされており、昇降位置を調整した折り曲げ板５ｄを畳床Ｔに対してシリンダ５ｅ，５ｅで進退させることによって畳床Ｔの裏面へ畳表Ａを折り曲げる構成とされている。折り曲げユニット５と折り曲げ板５ｄはシリンダ５ｂ，５ｂ及びシリンダ５ｃ，５ｃで上下方向に昇降される構成となっている。シリンダ５ｃ，５ｃのロッドが伸ばされた状態で、折り曲げユニット５の上面がテーブル２の面と一致し、かつシリンダ５ｂ，５ｂのロッドが伸ばされた状態で畳床Ｔの側面に折り曲げユニット５が上昇する。シリンダ５ｂ，５ｂ及びシリンダ５ｃ，５ｃのロッドが格納された状態では、折り曲げユニット５がテーブル２の面よりも下方に退避される位置となるのである。５ｇはシリンダ５ｅなどを保護する作業者が作業を行うためのカバーである。
【００２７】
図２の右側には、畳床Ｔを折り曲げすることができるように旋回テーブル６と、畳床折り曲げ装置７を設けている。旋回テーブル６はシリンダ６ａで旋回され、畳床折り曲げ装置７は、畳床曲げローラー７ａと畳床曲げローラーを保持する旋回アーム７ｂ，７ｂと旋回の駆動源であるシリンダ７ｃ，７ｃで構成されている。
【００２８】
そして、旋回アーム７ｂに一旦を固定されたワイヤー９ａのもう片側の端部はバネ９ｂを介して縁無畳用畳表折り曲げ機１のフレームに固定されている。そしてワイヤー９ｂには指示部９ｃが設けられ、フレームに設けられたメモリ９によって畳床Ｔの曲げ程度が目視できるように構成されてもいる。
【００２９】
本発明の縁無畳用畳表折り曲げ機１の動作について説明する。
縁無畳用畳表折り曲げ機１のフレーム上部に取り付けられたレーザーマーカー８は折り曲げする畳表の幅方向に線状にレーザーを照射し、照射位置が畳床Ｔの端部の位置に設定されているので、その照射レーザー線に合わせて畳床Ｔを位置決めする。シリンダ５ｃのロッドが伸ばされた状態となっており、折り曲げユニット５の上面がテーブル２の面と一致している。畳床Ｔはテーブル２と旋回テーブル６上に載置された状態となっている。（図４参照）
【００３０】
畳床Ｔの位置決めが完了すると、図示しない運転スイッチ又はフットスイッチをオンすることによって、予め機械の動作をプログラムされた制御装置へ運転信号を送り、床端押さえ３と床押さえ４をそれぞれシリンダ１１とシリンダ１０を駆動して下降させ、畳床Ｔを固定する。（図５参照）床端押さえ３が下降して畳床Ｔを固定する際には、シリンダ３２で常に下向きに付勢された状態の畳床保持装置３１も畳床Ｔを図示しないレギュレータで圧力調整された状態で押圧している。
【００３１】
畳床Ｔの固定が完了すると、図示しない運転スイッチ又はフットスイッチをオン（この運転信号は省略してもよい最初の運転信号だけでもかまわない）させて、畳表折り曲げユニット５をシリンダ５ｂを駆動させることにより上昇させた状態で停止させる。畳表Ａは、ヒーターを内蔵して所定温度に加熱された状態の折り曲げユニット５によって上方に折り曲げられた状態となる。（図６参照）
【００３２】
折り曲げにくい畳表の場合には、折り曲げユニット５を上昇させる前に折り癖を作業者がつけるようにしておくと良い。ヒーター（図示していない）で畳表を加熱した状態であるので常温よりは畳表Ａは折り癖のつきやすい状態になっている。
【００３３】
次に、接着剤を塗布するために床端押さえ３だけ図示しない運転スイッチ又はフットスイッチをオンすることによってシリンダ１１，１１を駆動して上方へ移動させる。そして畳表Ａが上方に折り曲げられた状態で、畳床Ｔの側面の畳表Ａが貼り付けされる部分全てに接着剤を作業者が塗布する。（図７参照）
【００３４】
接着剤の塗布が完了すると、図示しない運転スイッチ又はフットスイッチをオンすることによりシリンダ５ａを駆動させて畳表折り曲げユニット５を畳床Ｔの方へ移動させ、畳表Ａを接着剤が塗布された畳床Ｔの側面に押しつける。（図８参照）図８の状態を所定時間保持することによって畳表Ａを畳床Ｔの側面に貼り付けるのである。
【００３５】
上記において接着剤の塗布は図７において作業するように説明しているが、その理由は接着剤はホットメルトタイプの接着剤を使用するので、塗布した状態において接着剤の温度低下を避けるためであり、図５の状態で畳床Ｔの側面に接着剤を塗布して、図６〜図８を短時間で動作させるようにしてもかまわないのである。
【００３６】
畳表Ａを畳床Ｔの側面に貼り付け完了すると、畳床Ｔの側面に位置する畳表Ａの端部から畳床Ｔの裏面にかけて図９に示すように布テープなどを貼り付けて畳表折り曲げ部の仕上げを行う。
【００３７】
片側の畳表Ａの貼り付けが完了すると、テーブル２の上の畳床を１８０度回転させて畳表Ａの貼り付けが完了していない側を折り曲げユニット５側に位置させて、図４と同様に図１０に示すようにレーザーマーカー８のレーザー照射線に合わせて畳床Ｔを位置決めする。
【００３８】
図５と同様に畳床Ｔの位置決めが完了すると、図示しない運転スイッチ又はフットスイッチをオンすることによって、予め機械の動作をプログラムされた制御装置へ運転信号を送り、床端押さえ３、畳床保持装置３１と床押さえ４を下降させて畳床Ｔを固定する。（図１１参照）
【００３９】
畳床Ｔの固定を完了すると、図１２に示すようにシリンダ６ａを駆動して旋回テーブル６を斜め下に旋回した状態とする。その状態で、シリンダ７ｃ，７ｃを駆動することによって畳床Ｔの右端付近を畳床曲げローラー７ａで押圧することで図１３に示すように畳床Ｔを折り曲げる。図示しない折り曲げスイッチを押している間だけシリンダ７ｃ，７ｃが駆動するので、作業者が上記折り曲げスイッチを押して畳床Ｔの折り曲げ程度を任意に調整できる。もちろん、図示はしないが折り曲げ戻しスイッチも設けて畳床Ｔを折り曲げ過ぎた場合には折り曲げ度合いを戻せるようにしておくと良い。
【００４０】
この際に、旋回アーム７ｂに一旦を取り付けたワイヤー９ａに設けている指示部９ｃとメモリ９によってどの程度畳床Ｔを曲げているかの判断を作業者が行うことができる。このメモリ９を目安に畳床の種類が変わっても畳床Ｔを曲げる程度を安定して作業することができるようになるのである。また、旋回アーム７ｂがどの程度旋回しているのかを判別するようなメモリとして旋回アーム７ｂの付近に設けるような実施形態としても良い。
【００４１】
作業者が任意の角度に畳床Ｔを折り曲げ完了すると、テーブル２に当接している畳床と畳床曲げローラー７ａの側にある畳床Ｔの端部は畳床Ｔに畳表が当接しているが、上記当接している２地点の中程では畳床Ｔが畳表Ａがある側が凹となった状態に曲げられているため、図のように畳表Ａは弛んだ状態となって畳床Ｔから離れた状態となる。（図１３参照）
【００４２】
畳表Ａが弛んだ状態で、図示しない運転スイッチ又はフットスイッチをオンすることによって、床端押さえ３をわずかに上昇させ、また同時に床押さえ４を上昇させる。床端押さえ３がわずかに上昇しても畳床保持装置３１はシリンダ３２で常に下方へ付勢された状態であるため、畳床保持装置３１に複数設けられている固定針３１ａで畳床Ｔに対して刺した状態で図２の左右方向にずれないように保持している。（図１４参照）畳床保持装置３１を下降させるシリンダ３２には常に空気圧がかかった状態に保持されているため、床端押さえ３がわずかに上昇しても固定針３１ａが一定圧で畳床Ｔを突き刺して固定した状態が保持されるのである。このとき折り曲げユニット５はシリンダ５ｂ，５ｂとシリンダ５ｃ，５ｃのロッドを格納した状態としてテーブル２の面よりも下方へ降下する。
【００４３】
畳床保持装置３１を固定させるシリンダ３２は図示しないレギュレータによって畳床Ｔに対する押圧力を調整できるようにしており、畳床の種類によって適宜適切な押圧力に調整できる構成としているのである。
【００４４】
畳床Ｔを畳床保持装置３１で保持した状態で、畳床Ｔの幅方向の中央付近の畳表Ａを引っ張ることによって、図１３で弛んだ状態となっている畳表Ａを弛みのない状態、ピンと張った状態とする。この時、作業者が手で畳表Ａを持って引っ張っても良いが、図１６に示すような畳表を引っ張る工具Ｕを使用してもよい。
【００４５】
工具Ｕは持ち手Ｕ１を力点とし、床端押さえ３に当接するローラーＵ２を支点としてテコの原理で畳表Ａに突き刺した複数の針Ｕ３を作用点として畳表Ａを引っ張る工具である。畳床Ｔを畳床曲げローラー７ａで折り曲げた状態において弛ませた畳表Ａを引っ張るので確実に畳表Ａには畳として完成した状態ではテンションがかかった状態にすることができる。
【００４６】
畳表Ａを引っ張って弛みを取った状態、あるいは工具Ｕで畳表Ａにテンションをかけた状態で図示しない運転スイッチ又はフットスイッチをオンして、床押さえ４と床端押さえ３を下降させて畳表Ａがテンションのかかった状態でしっかりと固定し、図６〜図９にて説明した畳表の固定処置を行うことによって縁無畳を完成させる。
【００４７】
折り曲げ板５ｄを使用して畳床Ｔの裏面に畳表Ａを貼り付ける実施形態は特開２０１１−１２４２９号公報でも開示しているので本出願においては省略する。また、畳表Ａを折り曲げる折り曲げユニット５に変えて特開２０１１−１２４２９号公報に開示している畳表の折り曲げ機構を採用してもかまわないのである。
【００４８】
本発明においては、畳床折り曲げ手段で畳床Ｔを折り曲げて畳表Ａを弛めた状態とするために、テーブル２は折り曲げる畳床Ｔの長さに対してできるだけ短いことが望ましい。畳床Ｔの長さの約６０％程度のテーブル長さまでは折り曲げによる畳表の張りの効果が見られた。テーブル２の長さを長くすると、畳床Ｔを折り曲げる力は大きくする必要があり、また折り曲げ部分の長さが短くなるために畳表を弛めた状態にするには折り曲げる量も大きくする必要が出てくる。テーブル２の長さと、畳床Ｔを折り曲げる際の力と、床端押さえ３等にかける押圧力は適宜設計して大きな推力を必要としないようにすることが望ましい。
【符号の説明】
【００４９】
Ａ  畳表
Ｔ  畳床
Ｕ  工具
１  縁無畳用畳表折り曲げ機
２  テーブル
３  床端押さえ
４  床押さえ
５  畳表折り曲げユニット
５ａ  シリンダ
５ｂ  シリンダ
５ｃ  シリンダ
５ｄ  折り曲げ板
５ｅ  シリンダ
５ｆ  ハンドル
５ｇ  カバー
６  旋回テーブル
６ａ  シリンダ
７  畳床折り曲げ装置
７ａ  畳床曲げローラー
７ｂ  旋回アーム
７ｃ  シリンダ
８  レーザーマーカー
９  メモリ
９ａ  ワイヤー
９ｂ  バネ
９ｃ  指示部
１０  シリンダ
１１  シリンダ
３１  畳床保持装置
３１ａ  固定針
３２  シリンダ
【図１】
2014020014.tif 000003
【図２】
2014020014.tif 000004
【図３】
2014020014.tif 000005
【図４】
2014020014.tif 000006
【図５】
2014020014.tif 000007
【図６】
2014020014.tif 000008
【図７】
2014020014.tif 000009
【図８】
2014020014.tif 000010
【図９】
2014020014.tif 000011
【図１０】
2014020014.tif 000012
【図１１】
2014020014.tif 000013
【図１２】
2014020014.tif 000014
【図１３】
2014020014.tif 000015
【図１４】
2014020014.tif 000016
【図１５】
2014020014.tif 000017
【図１６】
2014020014.tif 000018